(57)【要約】【課題】ブーム受台を小形、軽量化及びコストダウンしながら、ブーム受台によるブーム支持の安定性を高め、かつ、面倒な位置調整作業を不要とする。【解決手段】ブーム受台１３の本体１４にフック状の係合体２０、下部走行体１のクローラフレーム１ｂの外面に水平な取付ピン２７をそれぞれ設け、組立・分解時に、係合体２０を取付ピン２７に上から係合させて受台本体１４をクローラフレーム１ｂに着脱自在に取付ける。受台本体１４には、上端にシリンダ受け部１８を設け、ブームシリンダ９をこのシリンダ受け部１８で受けてブームを支持するように構成した。【選択図】図５
2011162991.tif 000002
【特許請求の範囲】
【請求項１】
クローラ式の下部走行体上に上部旋回体が垂直軸まわりに旋回自在に搭載されて成るベースマシンと、作業アタッチメントとを具備し、この作業アタッチメントは、上記上部旋回体に起伏自在かつ着脱自在に取付けられるブームを備え、このブームと上部旋回体との間に設けられたブームシリンダによって作業アタッチメント全体が起伏作動するように構成された作業機械の組立・分解方法において、上記ベースマシンの下部走行体に、上記ブームシリンダを下から受けてブームを支持し得るブーム受台を外部に突出する状態で着脱自在に取付け、ブームをこのブーム受台に支持した状態で、分解時には上記ベースマシンの上部旋回体から取外し、組立時には上部旋回体に取付けることを特徴とする作業機械の組立・分解方法。
【請求項２】
クローラ式の下部走行体上に上部旋回体が垂直軸まわりに旋回自在に搭載されて成るベースマシンと、作業アタッチメントとを具備し、この作業アタッチメントは、上記上部旋回体に起伏自在かつ着脱自在に取付けられるブームを備え、このブームと上部旋回体との間に設けられたブームシリンダによって作業アタッチメント全体が起伏作動するように構成された作業機械の組立・分解時に用いられるブーム受台であって、上記ブームを支持するブーム受台本体と、このブーム受台本体を上記ベースマシンの下部走行体に取付ける取付手段とから成ることを特徴とする作業機械の組立・分解用ブーム受台。
【請求項３】
上記下部走行体は、左右両側にクローラが取付けられるクローラフレームを備え、上記ブーム受台本体を上記取付手段によってこのクローラフレームの外面に取付けるように構成されたことを特徴とする請求項２記載の作業機械の組立・分解用ブーム受台。
【請求項４】
上記取付手段は、上記受台本体に設けられた受台本体側取付部と、上記下部走行体に設けられた走行体側取付部とから成り、この両取付部によってブーム受台本体を下部走行体に着脱自在に取付けるように構成されたことを特徴とする請求項２または３記載の作業機械の組立・分解用ブーム受台。
【請求項５】
上記受台本体側及び走行体側両取付部は、ブーム受台本体と下部走行体とを一本の水平な取付ピンによって着脱自在に取付けるように構成されたことを特徴とする請求項４記載の作業機械の組立・分解用ブーム受台。
【請求項６】
上記本体側及び走行体側両取付部のうち一方の取付部は上記取付ピン、他方の取付部はフック状の係合体をそれぞれ備え、上記係合体を上記取付ピンに上下方向に係脱させることによってブーム受台本体を下部走行体に対して着脱するように構成されたことを特徴とする請求項５記載の作業機械の組立・分解用ブーム受台。
【請求項７】
上記本体側及び走行体側両取付部に設けられた固定ピン穴と、この両固定ピン穴に跨って挿入される固定ピンとによって上記取付ピンと係合体の係合状態を保持するように構成されたことを特徴とする請求項６記載の作業機械の組立・分解用ブーム受台。
【請求項８】
上記ブーム受台本体及び下部走行体における上記取付ピンよりも下方に、上記取付ピンを中心とするブーム受台本体の一方向の回転力を受ける回転力受け部が設けられたことを特徴とする請求項５〜７のいずれか１項に記載の作業機械の組立・分解用ブーム受台。
【請求項９】
上記ブーム受台本体の上端に、一本のブームシリンダについてシリンダ直径方向の両側で下側から支持する一対のシリンダ受け部が設けられ、この両側シリンダ受け部間に、同シリンダの配管を逃がす空間が形成されたことを特徴とする請求項２〜８のいずれか１項に記載の作業機械の組立・分解用ブーム受台。
【請求項１０】
上記ブーム受台本体の上部に、ブーム受台本体を吊り上げるための吊り具が止め付けられる吊り具止め付け部が設けられたことを特徴とする請求項４〜９のいずれか１項に記載の作業機械の組立・分解用ブーム受台。
【発明の詳細な説明】
【技術分野】
【０００１】
本発明はベースマシンと作業アタッチメントとを備え、これらが分解されて別輸送される大型の作業機械の組立・分解方法及び組立・分解用ブーム受台に関するものである。
【背景技術】
【０００２】
大型の油圧ショベルを例にとって背景技術を説明する。
【０００３】
この油圧ショベルは、図７に示すようにクローラ式の下部走行体１上に上部旋回体２が垂直軸まわりに旋回自在に搭載されて成るベースマシン３と、このベースマシン３(上部旋回体２)の前部に装着される作業アタッチメント(掘削アタッチメント)４とによって構成される。
【０００４】
作業アタッチメント４は、上部旋回体２にブームフットピン５によって起伏自在に取付けられるブーム６と、このブーム６の先端に水平軸まわりに回動可能に取付けられるアーム７と、このアーム７の先端に水平軸まわりに回動可能に取付けられるバケット８と、ブーム６(アタッチメント全体)を起伏させるブームシリンダ９と、アーム７及びバケット８作動用のアーム、バケット両シリンダ１０，１１とを具備する。
【０００５】
ブーム６は、下段側のメインブーム６ａに上段側のフロントブーム６ｂが着脱自在に連結されて構成される。
【０００６】
なお、フロントブーム６ｂは、通常、必要ブーム長さに応じた複数段のブーム体を着脱自在に連結して構成されるが、ここでは図の簡略化のため単一のものとして示す。
【０００７】
また、このショベルを解体機や破砕機として転用する場合は、アーム先端にバケット８に代えて圧砕装置やブレーカ等の他の作業装置が取付けられる。
【０００８】
ベースマシン３の下部走行体１は、図８に示すようにカーボディ１ａの左右両側にクローラフレーム１ｂ，１ｂが設けられ、このクローラフレーム１ｂ，１ｂにクローラ１ｃ，１ｃとその駆動装置(図示しない)が装着されて構成される。
【０００９】
大型ショベルの場合、法制限から全体の一括輸送ができないため、輸送に際して複数の組、たとえば、ベースマシン３と、メインブーム６ａと、メインブーム６ａを除く作業アタッチメント４とに分解されて別輸送される。
【００１０】
図７の実線は、分解過程として、メインブーム６ａを上部旋回体２に取付けたまま、メインブーム６ａから他のアタッチメント要素(フロントブーム６ｂ、アーム７及びバケット８)を切り離した状態を示す。
【００１１】
この状態から次の工程によって分解される。
【００１２】
(ｉ)  図８に示すように上部旋回体２を９０°旋回させて横向きにした上で、メインブーム６ａを倒し、地上に置いたブーム受台１２でブームシリンダ９を受けてメインブーム６ａを支持する。
【００１３】
(ｉｉ)  ブームシリンダ９のロッド端をメインブーム６ａから外した後、メインブーム６ａをクレーンで吊ってブームフットピン５を取外し、メインブーム６ａを上部旋回体２から取外す。
【００１４】
(ｉｖ)  ブームシリンダ９を輸送用の治具で固定した後、ブーム受台１２を撤去する。
【００１５】
この後、下部走行体１からクローラ１ｃ，１ｃが取外されて別輸送される。
【００１６】
一方、輸送後の組立は、上記と逆の手順、操作によって行われる。
【００１７】
なお、大型ショベルのうちでも比較的小型のものでは、メイン、フロント両ブーム６ａ，６ｂを一体状態のままブーム受台１２に支持し、かつ、上部旋回体２から取外す場合もある。
【００１８】
以上のショベル構成及び組立・分解方法に関連する技術は特許文献１に示されている。
【先行技術文献】
【特許文献】
【００１９】
【特許文献１】特開２００９−２０１８号公報
【発明の概要】
【発明が解決しようとする課題】
【００２０】
従来、組立・分解時にブーム６(図７，８の例ではメインブーム６ａ)を支持するブーム受台１２は、きわめて重いブーム６を支持し得る高強度のものを現地調達するのが困難であることから、専用のものを常備し、ベースマシン３等とともに輸送するのが一般的であった。
【００２１】
しかし、ブーム受台１２を地面に置くため、
(１)  転倒せず安定良く設置できること、
(２)  きわめて重いブーム６を支持し得ること、
の条件を満足するために、このブーム受台１２が大形で重くなり、コストも高くなっていた。
【００２２】
しかも、地面に自立させるため、とくに不整地ではブーム受台１２の自立状態が不安定になり易く、ブーム６の支持の安定性に難点があった。
【００２３】
また、ブーム受台１２の対ブーム位置の調整が必要で、しかもブーム受台１２が大きくて重いことからこの調整作業が面倒となっていた。
【００２４】
そこで本発明は、ブーム受台を小形、軽量化及びコストダウンしながら、ブーム受台によるブーム支持の安定性を高め、かつ、面倒な位置調整作業が不要な作業機械の組立・分解方法を提供するものである。
【００２５】
また本発明は、小形、軽量、安価でありながら、ブームを安定良く支持できるとともに、ブームに対する位置調整が不要な作業機械の組立・分解用ブーム受台を提供するものである。
【課題を解決するための手段】
【００２６】
請求項１の発明(組立・分解方法)は、クローラ式の下部走行体上に上部旋回体が垂直軸まわりに旋回自在に搭載されて成るベースマシンと、作業アタッチメントとを具備し、この作業アタッチメントは、上記上部旋回体に起伏自在かつ着脱自在に取付けられるブームを備え、このブームと上部旋回体との間に設けられたブームシリンダによって作業アタッチメント全体が起伏作動するように構成された作業機械の組立・分解方法において、上記ベースマシンの下部走行体に、上記ブームシリンダを下から受けてブームを支持し得るブーム受台を外部に突出する状態で着脱自在に取付け、ブームをこのブーム受台に支持した状態で、分解時には上記ベースマシンの上部旋回体から取外し、組立時には上部旋回体に取付けるものである。
【００２７】
請求項２の発明(ブーム受台)は、クローラ式の下部走行体上に上部旋回体が垂直軸まわりに旋回自在に搭載されて成るベースマシンと、作業アタッチメントとを具備し、この作業アタッチメントは、上記上部旋回体に起伏自在かつ着脱自在に取付けられるブームを備え、このブームと上部旋回体との間に設けられたブームシリンダによって作業アタッチメント全体が起伏作動するように構成された作業機械の組立・分解時に用いられるブーム受台であって、上記ブームを支持するブーム受台本体と、このブーム受台本体を上記ベースマシンの下部走行体に取付ける取付手段とから成るものである。
【００２８】
請求項３の発明は、請求項２の構成において、上記下部走行体は、左右両側にクローラが取付けられるクローラフレームを備え、上記ブーム受台本体を上記取付手段によってこのクローラフレームの外面に取付けるように構成されたものである。
【００２９】
請求項４の発明は、請求項２または３の構成において、上記取付手段は、上記受台本体に設けられた受台本体側取付部と、上記下部走行体に設けられた走行体側取付部とから成り、この両取付部によってブーム受台本体を下部走行体に着脱自在に取付けるように構成されたものである。
【００３０】
請求項５の発明は、請求項４の構成において、上記受台本体側及び走行体側両取付部は、ブーム受台本体と下部走行体とを一本の水平な取付ピンによって着脱自在に取付けるように構成されたものである。
【００３１】
請求項６の発明は、請求項５の構成において、上記本体側及び走行体側両取付部のうち一方の取付部は上記取付ピン、他方の取付部はフック状の係合体をそれぞれ備え、上記係合体を上記取付ピンに上下方向に係脱させることによってブーム受台本体を下部走行体に対して着脱するように構成されたものである。
【００３２】
請求項７の発明は、請求項６の構成において、上記本体側及び走行体側両取付部に設けられた固定ピン穴と、この両固定ピン穴に跨って挿入される固定ピンとによって上記取付ピンと係合体の係合状態を保持するように構成されたものである。
【００３３】
請求項８の発明は、請求項５〜７の構成において、上記ブーム受台本体及び下部走行体における上記取付ピンよりも下方に、上記取付ピンを中心とするブーム受台本体の一方向の回転力を受ける回転力受け部が設けられたものである。
【００３４】
請求項９の発明は、請求項２〜８のいずれかの構成において、上記ブーム受台本体の上端に、一本のブームシリンダについてシリンダ直径方向の両側で下側から支持する一対のシリンダ受け部が設けられ、この両側シリンダ受け部間に、同シリンダの配管を逃がす空間が形成されたものである。
【００３５】
請求項１０の発明は、請求項２〜９のいずれかの構成において、上記ブーム受台本体の上部に、ブーム受台本体を吊り上げるための吊り具が止め付けられる吊り具止め付け部が設けられたものである。
【発明の効果】
【００３６】
本発明(請求項１の組立・分解方法、及び請求項２〜１０のブーム受台)によると、組立・分解時にブームを支持するブーム受台を、ベースマシンの下部走行体(請求項３ではクローラフレーム)に外部に突出する状態で取付けるため、いいかえれば下部走行体を土台としてブームを支持するため、不整地を含めてどのような地面状況でもブーム受台を転倒のおそれのない安定した状態で設置することができる。このため、ブーム支持の安定性を向上させることができる。
【００３７】
また、ブーム受台を常に一定の対ブーム位置に設置することができるため、面倒なブーム受台の位置調整作業が不要となり、作業能率を高めることができる。
【００３８】
一方、下部走行体を土台として利用することで、ブーム受台の土台部分が不要となり、同受台を小形、軽量化し、コストダウンすることができる。
【００３９】
この場合、請求項３の発明によると、クローラフレームの外面という、元々外部に露出し、かつ、ブーム受台を取付けるのに十分な空きスペースを持った部分にブーム受台を取付けるため、同受台を取付けるための下部走行体側の大がかりな改良が不要で、ブーム受台の取付構造が小形、簡単ですむ。
【００４０】
請求項４〜８の発明によると、ブーム受台本体を下部走行体に対して着脱自在に取付けるため、組立・分解時以外は取外しておくことで通常作業の邪魔にならず、組立・分解後はベースマシン等とともに輸送することができる。
【００４１】
ここで、請求項５〜７の発明によると、下部走行体に対するブーム受台本体の着脱を一本の水平な取付ピンのみで簡単、迅速に行うことができるとともに、着脱構造が簡単ですむ。
【００４２】
とくに、請求項６，７の発明によると、取付ピンとフック状の係合体の上下方向の係脱操作によってブーム受台をきわめて簡単に能率良く着脱することができる。
【００４３】
この場合、請求項７の発明によると、固定ピンによって上記係合状態を保持し、両者の不測の離脱を防止することができる。
【００４４】
請求項８の発明によると、取付ピンを中心とする受台本体の一方向の回転を、同ピン下方で受けることができるため、ブーム受台本体を取付ピンのみで取付ける構成でありながら、同本体の不測の回転を防止し、ブーム支持状態を確保することができる。
【００４５】
請求項９の発明によると、受台でブームシリンダを受けてブームを支持する構成をとる場合に、ブームシリンダを一対のシリンダ受け部で支持し、両シリンダ受け部間の空間でシリンダ配管を逃がすため、シリンダ配管を損傷するおそれがない。
【００４６】
請求項１０の発明によると、ブーム受台本体に設けられた吊り具止め付け部により同本体をクレーンで吊って下部走行体に対し着脱できるため、とくに大形機械用の大形受台の着脱作業が容易となる。
【図面の簡単な説明】
【００４７】
【図１】本発明の実施形態による組立・分解過程を示す正面図である。
【図２】同一部平面図である。
【図３】実施形態に係るブーム受台本体と走行体側取付部の斜視図である。
【図４】同側面図である。
【図５】図１の一部拡大図である。
【図６】(イ)〜(ニ)はブーム受台の取付手順を示す側面図である。
【図７】本発明が適用される大形油圧ショベルの組立・分解の一過程を概略側面図である。
【図８】従来のブーム受台の使用状態を拡大して示す側面図である。
【発明を実施するための形態】
【００４８】
本発明の実施形態を図１〜図６によって説明する。
【００４９】
実施形態では、背景技術の説明に合わせて大型の油圧ショベルを適用対象としている。
【００５０】
実施形態において、図７，８に示す部分と同一部分に同一符号を付して示し、その重複説明を省略する。
【００５１】
機械の組立・分解時に、ベースマシン３の下部走行体１における左右いずれか一方のクローラフレーム１ｂの外面に、実施形態に係るブーム受台１３が着脱自在に取付けられ、図１，２に示すようにこのブーム受台１３でブームシリンダ９が受けられてブーム(メインブーム６ａ。以下、この場合で説明する))が支持される。
【００５２】
このブーム受台１３の構成を図３〜図６によって詳述する。
【００５３】
ブーム受台１３の本体１４(以下、受台本体という)は、図３，４に拡大して示すように、地面に対して鉛直となる一対の脚体１５，１５の上端に上梁１６、下部に下梁１７がそれぞれ水平に架け渡されて基本骨格が形成されている。
【００５４】
以下、ブーム受台１３について、脚体１５，１５の並び方向(クローラフレーム１ｂの長さ方向)を「左右」という。
【００５５】
上梁１６の上面には、ブームシリンダ９一本につきシリンダ直径方向の両側で下側から支持する一対のシリンダ受け部１８，１８が、互いの間にシリンダ配管９ａを逃がす空間１９が形成されるように間隔を置いて設けられている。
【００５６】
ここでは、ブームシリンダ９が二本、左右に設けられるショベルを対象として、一対のシリンダ受け部１８，１８が二組、上梁１６の左右両側に設けられている。
【００５７】
このシリンダ受け部１８，１８は、図示のように直方体状でかつ相対向する面の上端部が斜めにカットされて傾斜面１８ａ，１８ａとなった形状に形成され、図４に示すように傾斜面１８ａ，１８ａでブームシリンダ９の下半部を直径方向の両側から挟み込む状態で支持する。
【００５８】
なお、脚体１５，１５及び上下の梁１６，１７は、強度重視の素材(たとえば四角の鋼管等の金属)、シリンダ受け部１８はブームシリンダ９に対する当たりが柔らかい素材(たとえば木やラバー)にて形成されている。
【００５９】
この受台本体１４には、次の部材が設けられている。
【００６０】
第１に、両側脚体１５，１５の内面(クローラフレーム１ｂに対向する面)における中間下部寄りの位置に、本体側取付部としての下向きフック状の係合体２０，２０がクローラフレーム１ｂ側に突出する状態で取付けられている。
【００６１】
この係合体２０，２０には、それぞれ固定ピン穴２１が左右方向に貫通して設けられている。
【００６２】
第２に、本体上部の内面に、吊り具止め穴２２ａを持った吊り具止め付け部２２が設けられ、図６に示すようにクレーンの吊りロープ(または玉掛けロープ)２３がこの吊り具止め付け部２２に止め付けられる。
【００６３】
第３に、下端部内面に回転力受け部２４が設けられている。
【００６４】
この回転力受け部２４は厚板状に形成され、クローラフレーム１ｂ側に突出して設けられている。
【００６５】
一方、クローラフレーム１ｂの外面には、係合体２０，２０に対応する位置にブラケット２５，２５、回転力受け部２４，２４に対応する位置に回転力受け部２６，２６がそれぞれ設けられている。
【００６６】
ブラケット２５は、係合体２０を左右から挟み込むように間隔を置いて一対ずつ設けられ、この一対のブラケット２５，２５間に水平な取付ピン２７が設けられるとともに、この取付ピン２７よりも下方に、係合体２０の固定ピン穴２１に合致する固定ピン穴２８が設けられている。
【００６７】
上記ブラケット２５と取付ピン２７とによって走行体側取付部が構成され、本体側の係合体２０が取付ピン２７に上から係合することによってブーム受台本体１４がクローラフレーム外面に着脱自在に取付けられる。
【００６８】
この取付手順を図６によって説明する。
【００６９】
(Ｉ)  図６(イ)に示すように、図示しないクレーンの吊りロープ２３を吊り具止め付け部２２に止め付けて受台本体１４を吊り上げ(図６中のＧは受台本体１４の重心位置を示す)、係合体２０が取付ピン２７の上方に位置する高さで回転力受け部２４をブラケット２５に接触させる。
【００７０】
(ＩＩ)  図６(ロ)に示すように、回転力受け部２４とブラケット２５の接触状態を保ったまま、接触部分を支点に受台本体１４を鉛直方向に起こすとともに接触部分をガイドとして下降させる。
【００７１】
(ＩＩＩ)  図６(ハ)に示すように係合体２０を取付ピン２７に上から係合させる。
【００７２】
この状態で、受台本体１４には図６の反時計回りの回転力が作用するが、この回転力は回転力受け部２４，２６によって受けられる。
【００７３】
(ＩＶ)  図６(ニ)及び図５に示すように、吊りロープ２３を外した後、取付ピン２７を中心に受台本体１４を微回転調整して係合体２０とブラケット２５の固定ピン穴２１，２８を位置合わせし、固定ピン２９を挿入する。
【００７４】
これにより、受台本体１４の時計回りの回転が阻止されるとともに、係合体２０と取付ピン２７の係合状態が保持(受台本体１４の上方移動が防止)される。
【００７５】
以上によってクローラフレーム１ｂへの受台本体１４の取付けが完了し、この後、メインブーム６ａを倒し、ブーム受台１３でブームシリンダ９を受けてメインブーム６ａを支持する。
【００７６】
このとき、図４に示すようにブームシリンダ９，９がそれぞれ一対ずつのシリンダ受け部１８，１８によって直径方向の両側で受けられ、かつ、シリンダ配管９ａが同部材間の空間１９に逃げる。
【００７７】
この後の分解手順は前記の通りであり、輸送後の組立は逆の手順、操作によって行われる。
【００７８】
このように、組立・分解時にメインブーム６ａを支持するブーム受台１３を、ベースマシン３の下部走行体１(クローラフレーム１ｂ)に外部に突出する状態で取付け、下部走行体１を土台としてメインブーム６ａを支持するため、不整地を含めてどのような地面状況でもブーム受台１３を転倒のおそれのない安定した状態で設置することができる。このため、ブーム支持の安定性を向上させることができる。
【００７９】
また、下部走行体１に対するブーム受台１３の取付位置が決まっており、ブーム受台１３の対ブーム位置も常に一定となるため、面倒なブーム受台１３の位置調整作業が不要となり、作業能率を高めることができる。
【００８０】
一方、下部走行体１を土台として利用することで、ブーム受台１３の土台部分が不要となり、同受台１３を小形、軽量化し、コストダウンすることができる。
【００８１】
この場合、クローラフレーム１ｂの外面という、元々外部に露出し、かつ、ブーム受台１３を取付けるのに十分な空きスペースを持った部分にブーム受台１３を取付けるため、同受台１３を取付けるための下部走行体側の大がかりな改良が不要で、ブーム受台１３の取付構造が小形、簡単ですむ。
【００８２】
さらに、ブーム受台本体１４を下部走行体１に対して着脱自在に取付けるため、組立・分解時以外は取外しておくことで通常作業の邪魔にならず、組立・分解後はベースマシン等とともに輸送することができる。
【００８３】
しかも、下部走行体１に対するブーム受台本体１４の着脱を、フック状係合体２０と取付ピン２７の上下方向の係脱操作のみによってきわめて簡単に能率良く行うことができる。
【００８４】
この場合、固定ピン２９によって上記係合状態を保持し、両者の不測の離脱を防止することができる。
【００８５】
また、取付ピン２７を中心とする受台本体１４の一方向(図５，６の時計回り)の回転を、同ピン下方で受けることができるため、ブーム受台本体１４を取付ピン２７一本で取付ける構成でありながら、同本体１４の不測の回転を防止し、ブーム支持状態を確保することができる。
【００８６】
一方、ブームシリンダ９を一対のシリンダ受け部１８，１８で支持し、両シリンダ受け部１８，１８間の空間１９でシリンダ配管９ａを逃がすため、シリンダ配管９ａを損傷するおそれがない。
【００８７】
また、ブーム受台本体１４に設けた吊り具止め付け部２２により同本体１４をクレーンで吊ってクローラフレーム１ｂに対し着脱できるため、とくに大形機械用の大形受台の着脱作業が容易となる。
【００８８】
他の実施形態
(１)  上記実施形態では、ブームシリンダ９が二本の場合を例示したが、一本の場合でも適用することができる。この場合、シリンダ受け部１８，１８は一組だけでよい。 
【００８９】
また、凹状の部材でシリンダ受け部１８，１８と空間１９を形成してもよい。
【００９０】
(２)  上記実施形態では、受台本体１４側に係合体２０、クローラフレーム１ｂ側に取付ピン２７を設けたが、逆に受台本体１４側に取付ピン、クローラフレーム１ｂ側に上向きフック状の係合体をそれぞれ設け、取付ピンを係合体に上方から係合させるようにしてもよい。
【００９１】
(３)  上記のフック状係合体と取付ピンによる取付構造に代えて、受台本体１４側及びクローラフレーム１ｂ側の双方に取付部としてのピン穴付きのブラケットを設け、取付ピンをこの両ブラケットのピン穴に差し込んで受台本体１４をクローラフレーム１ｂに着脱自在に取付ける構成をとってもよい。
【００９２】
(４)  このブーム受台１３は、上記実施形態のように作業の邪魔にならないように着脱式とするのが望ましいが、邪魔にならない位置に取付けることを条件として下部走行体１に常設してもよい。あるいは、回動式またはスライド式に出し入れ自在に取付けてもよい。
【００９３】
(５)  本発明は大形の油圧ショベルに限らず、ショベルを母体として構成される破砕機や解体機等の他の作業機械にも適用することができる。
【符号の説明】
【００９４】
１  下部走行体
１ａ  下部走行体のカーボディ
１ｂ  同、クローラフレーム
２  上部旋回体
３  ベースマシン
４  作業アタッチメント
６  ブーム
６ａ  メインブーム
９  ブームシリンダ
９ａ  シリンダ配管
１３  ブーム受台
１４  ブーム受台本体
１８，１８  シリンダ受け部
１９  シリンダ受け部間の空間
２０  受台本体側取付部としてのフック状係合体
２１  固定ピン穴
２２  吊り具止め付け部
２３  吊りロープ
２４  回転力受け部
２５  走行体側取付部を構成するブラケット
２６  回転力受け部
２７  取付ピン
２８  固定ピン穴
２９  固定ピン
【図１】
2011162991.tif 000003
【図２】
2011162991.tif 000004
【図３】
2011162991.tif 000005
【図４】
2011162991.tif 000006
【図５】
2011162991.tif 000007
【図６】
2011162991.tif 000008
【図７】
2011162991.tif 000009
【図８】
2011162991.tif 000010